(57)【特許請求の範囲】
【請求項１】
導電性材料からなる平板状のリードフレームを有するＬＥＤランプにおいて、前記リードフレームを所定個所で折り曲げＬＥＤランプの光軸に略直交する面である幅広部と前記幅広部の一部に前記ＬＥＤランプの光軸と略平行する面である接続部が形成され、前記幅広部と前記接続部の接合部にくびれ部を設けたことを特徴とするＬＥＤランプ。
【請求項２】
前記接続部は前記幅広部よりも幅が狭いことを特徴とする請求項１記載のＬＥＤランプ。
【請求項３】
前記接続部にはスリット又はかしめ用舌片が形成されていることを特徴とする請求項１又は２記載のＬＥＤランプ。
【発明の詳細な説明】
【０００１】
【発明の属する技術分野】
本発明は半導体素子であるＬＥＤチップを発光源とするＬＥＤランプに関するものであり、詳細には、例えば車両用灯具の光源として使用する際に基板やハウジングに取付けワイヤーにより配線するのに適したＬＥＤランプの構成に係るものである。
【０００２】
【従来の技術】
従来のこの種のＬＥＤランプ９０をワイヤーにより配線を行なう例としては、例えば図５に示すものがあり、前記ＬＥＤランプ９０を取付ける基板や灯具のハウジングなどの配線用部材９１には、ワイヤー９２を引回すためのコード係止部９３が箱型に設けられており、前記コード係止部９３の向い合う一対の側壁９３ａにはそれぞれ前記ワイヤー９２を固定するための略Ｖ字状の係止溝９３ｂが形成されており、この係止溝９３ｂに前記ワイヤー９２を挿入することにより、配線回路が形成されるものである。
【０００３】
次にＬＥＤランプ９０は、リードフレーム９０ａが平板状の導電性材料により形成されており、その先端には接続溝９０ｂが形成されている。
【０００４】
そして、箱型に形成された前記コード係止部９３内のワイヤー９２が前記リードフレーム９０ａに形成された接続溝９０ｂに入り込むように前記ＬＥＤランプ９０を前記コード係止部９３に押圧することにより取付けが行なわれる。
【０００５】
このような取付構造では、半田を用いずにＬＥＤランプの配線が行なわれるものとなり、環境への影響の少ないものとなる。
【０００６】
【発明が解決しようとする課題】
しかしながら、前記したＬＥＤランプ９０の取付構造においては、ワイヤー９２との取付けを圧入することにより機械的及び電気的な接続を行なっているため、前記ＬＥＤランプ９０のリードフレーム９０ａに強い力が加わるものとなってしまう。
【０００７】
そして、従来のＬＥＤランプ９０においては、リードフレーム９０ａは平板状で、前記ＬＥＤランプ９０のレンズ部であるエポキシ樹脂などによるモールド部より直線的に導出されているものであるため、前記のようにリードフレーム９０ａに強い力が加わると、直接モールド部へ力が掛かるものとなり、レンズ部の破損や破損しないまでも防湿性の低下により寿命が短くなってしまうという問題点を生じ、これらの点の解決が課題とされている。
【０００８】
【課題を解決するための手段】
本発明は前記した従来の課題を解決するための具体的手段として、導電性材料からなる平板状のリードフレームを有するＬＥＤランプにおいて、前記リードフレームを所定個所で折り曲げＬＥＤランプの光軸に略直交する面である幅広部と前記幅広部の一部に前記ＬＥＤランプの光軸と略平行する面である接続部が形成され、前記幅広部と前記接続部の接合部にくびれ部を設けたことを特徴とするＬＥＤランプを提供することで課題を解決するものである。
【０００９】
さらに良好な具体的手段としては、前記接続部は前記幅広部よりも幅が狭いこと、前記接続部にはスリット又はかしめ用舌片が形成されていることなどが挙げられる。
【００１０】
【発明の実施の形態】
次に本発明を図に示す実施形態に基づいて詳細に説明する。図１に符号１で示すものは本発明に係るＬＥＤランプであり、このＬＥＤランプ１は、基本的にエポキシ樹脂などからなり、レンズ作用を有するモールド部２と導電性の平板を打抜いて形成するなどしたリードフレーム３より構成されるものである。
【００１１】
さらに詳細に説明すると、リードフレームの先端には図示は省略するが発光源としてのＬＥＤチップが載置され、他方のリードフレームへワイヤーによりボンディングされ、これらを覆い透光性のエポキシ樹脂などでモールド部を形成するもので、以上の構成は従来のものと同様である。
【００１２】
ここで本発明では前記リードフレーム３をＬＥＤチップが載置される部分より幅を広くし、面積を大きくした幅広部３ａと前記幅広部３ａの一部に形成される接続部３ｂとから形成している。
【００１３】
さらに前記幅広部３ａは前記ＬＥＤランプ１のモールド部２の側面に出されたリードフレーム３の延長上に形成されており、幅広部３ａの平面が前記ＬＥＤランプ１の光軸とほぼ直交するものとしている。
【００１４】
そして、この幅広部３ａの一部にはこの幅広部３ａと直交する、即ち前記ＬＥＤランプ１の光軸と略平行となる接続部３ｂが形成され、この接続部３ｂの先端にはワイヤーを接続するためのスリット３ｄが形成されている。
【００１５】
さらに、本実施形態では、前記幅広部３ａと前記接続部３ｂの接合部にくびれ部３ｅを設けると共に、前記接続部３ｂの幅を前記幅広部３ａの幅より狭いものとしている。
【００１６】
なお、これらリードフレーム３の幅広部３ａや接合部３ｂは、一枚の導電性材料からなる平板を所定の金型などで打抜き、必要個所を折り曲げることにより形成している。
【００１７】
又、前記接合部３ｂは図２に示す取付け方により図１（ａ）に示すようにＬＥＤランプ１の照射方向に折り曲げても、図１（ｂ）に示すようにＬＥＤランプ1の照射方向とは反対側に設けても、必要に応じては図１（ｃ）に示すように各々逆側に設けても良い。
【００１８】
以上のように形成したＬＥＤランプ１は図２に示すように配線用部材４に固定される。この固定の方法は前記配線用部材４に設けたボス６やリブを前記幅広部３ａに設けた取付孔３ｆに挿入し熱かしめを行ない固定したり、接着剤やネジ止めなど適宜な方法により行なわれる。
【００１９】
なお、図２（ａ）に示すのは、配線用部材４の正面側に取付けた例、図２（ｂ）は配線用部材４に貫通孔４ａを設け配線用部材４の裏面側より前記ＬＥＤランプ１を取付ける例である。
【００２０】
次に、配線用のワイヤー５を用意し、図４（ａ）に示すように前記接続部３ｂに形成されたスリット３ｄに各々押し込むことにより、電気的な配線が行なわれるもので、半田付けを不要なものとしている。このワイヤー５は銅線などの導電性材料のみの裸線又は、絶縁材料からなる被覆付線のどちらでも使用可能であり、被覆付線の場合、前記スリット３ｄの幅を細く形成しておき、ワイヤー５の挿入時に被覆がスリット３ｄの側壁により破れ、接続部３ｂとワイヤー５の電気的な接続が行なわれるよにすれば良い。
【００２１】
以上の構成としたことで、本発明のＬＥＤランプ１においては、ＬＥＤランプ１の点灯時にＬＥＤチップから発生した熱は、リードフレーム３を伝わり前記幅広部３１により充分放熱されるため、ＬＥＤランプ１の熱による輝度低下を防止することができる。
【００２２】
又、ワイヤー５を取付ける接続部３ｂを前記幅広部３ａと略直交する方向に設け設けているため、ワイヤー５を取付ける際に前記配線用部材４に対し垂直方向の力が加わっても、前記配線用部材４により前記接続部３ｂの揺動は制限されるので、前記モールド部２に破損などの影響を及ぼすことがない。
【００２３】
さらに、ワイヤー５の取付時や取付後のワイヤー５や配線用部材４の熱による伸縮で加わる配線用部材４に平行な力は、前記幅広部３ａと前記接続部３ｂが略直交しているため、接続部３ｂがクッションの役割をなし、両者の接合部で力が吸収され、前記モールド部２への影響を少なくすることができる。
【００２４】
そして、前記幅広部３ａと前記接続部３ｂの接合部にくびれ部３ｃを設けると共に、前記接続部３ｂの幅を前記幅広部３ａの幅より狭いものとすることにより、この接合部でのクッションの役割を大きくし、力の吸収を大きなものとしている。
【００２５】
なお、前記の幅広部３ａの面積を広くしているのは、前記した放熱の問題だけでなく、前記したような力が接続部３ｂに加わった場合でも、この幅広部３ａを大面積にして重量をもたせておくことで、配線用部材４との接触や重量により揺動し難く、接続部３ｂとの接合部で力が吸収されやすいものとなり、モールド部２への影響を少なくするためである。
【００２６】
次に、図３に示すものは本発明の別の実施形態であり、前の実施形態ではモールド部２からのリードフレーム３の導出を側面より行なっていたのに対し、本実施形態ではモールド部２の底面より行なうものである。又、接続部３ｂにはスリットではなく、かしめ用の舌片部３ｅを形成しているもので、他の構成は同一である。
【００２７】
本実施形態の場合、リードフレーム３がモールド部２より導出された後、略直角に折り曲げられ幅広部３ａが形成されているため、この部分によっても力の吸収が起こり、前の実施形態より一層モールド部２への影響が軽減できるものとなる。
【００２８】
又、本実施形態は接続部３ｂにワイヤー５を取付けるための他の例も示しており、前記接続部３ｂに舌片部３ｅを設け、図４（ｂ）に示すようにこの舌片部３により前記ワイヤー５をかしめて、配線を行なうものである。この場合、前の実施形態より取付作業が煩雑なものとなるが半田を用いずに取付ける際には有効である。
【００２９】
以上の構成は本発明の実施形態であり、本発明は上記のものに限定されるものではない。即ち、前記接合部の折り曲げ方向や接合部に形成するスリットや舌片部などの取付手段は種々のものが使用可能であり、上記で説明した組み合わせに限られず、適宜な組み合わせが可能であるのは言うまでもない。
【００３０】
又、前記幅広部を力が加わる方向に境線を有する断面形状が略波形のものとしておけば、放熱作用が増す共に、リードフレームの強度を増すことができ、これらのことは適宜使用可能である。
【００３１】
【発明の効果】
以上説明したように、本発明ではＬＥＤランプのリードフレームを所定個所で折り曲げＬＥＤランプの光軸に略直交する面である幅広部と前記幅広部の一部に前記ＬＥＤランプの光軸と略平行する面である接続部が形成されることにより、放熱性が良くなると共に、配線のためのワイヤーを取付ける際に加わる力を前記幅広部と前記接続部の接合部により吸収し、ＬＥＤランプのモールド部の破損などを防止することができる。
【図面の簡単な説明】
【図１】  本発明に係るＬＥＤランプの第一実施形態を示す斜視図である。
【図２】  本発明に係るＬＥＤランプの取付状態を示す説明図である。
【図３】  同じく本発明に係るＬＥＤランプの第二実施形態を示す斜視図である。
【図４】  図１及び図３に示すＬＥＤランプの側面図である。
【図５】従来のＬＥＤランプを示す説明図である。
【符号の説明】
１……ＬＥＤランプ
２……モールド部
３……リードフレーム
３ａ……幅広部
３ｂ……接続部
３ｃ……くびれ部
３ｄ……スリット部
３ｅ……舌片部
３ｆ……取付孔
４……配線用部材
４ａ……貫通孔
５……ワイヤー
６……ボス
【図１】
0004330689.tif 000002
【図２】
0004330689.tif 000003
【図３】
0004330689.tif 000004
【図４】
0004330689.tif 000005
【図５】
0004330689.tif 000006